(57)【要約】  ヒトの頭髪に、流動性を有する製品を適用するための装置（１）であって、突起（２）を有する製品ディスペンサー（３）を備え、突起（２）には、製品を分配するための複数の開口部（８）が設けられており、均等また効果的な適用のために、全ての開口部（８）が、突起（２）の間を延伸するとともに、内部領域（５）上に配置される内部空間（９）に対して横方向に整列しており、内部空間（９）が突起（２）を含むこと、が推奨される。
2008541944.tif 000002
【特許請求の範囲】
【請求項１】
ヒトの頭髪に、流動性を有する製品を適用するための装置（１）であって、
複数の突起（２）を有する製品ディスペンサー（３）を備え、
前記ディスペンサーが（３）が、前記突起（２）を収容するための基部（６）を有し、前記基部（６）は、前記突起（２）の間を延伸する内部領域（５）からなり、
前記内部領域（５）は、好ましくは前記基部（６）の外部領域（７）に縁取られており、
前記製品ディスペンサー（３）は、連結部（４）を介して容器に接続され、
前記突起（２）には、前記製品を分配するための開口部(８)が設けられ、
全ての開口部（８）が、前記突起（２）の間を延伸するとともに、内部領域（５）上に配置される内部空間（９）に対して横方向に整列しており、前記内部空間（９）が、前記突起（２）を含むことを特徴とする装置（１）。
【請求項２】
２列の突起（２）が設けられる、請求項１に記載の装置（１）。
【請求項３】
縁部（１０）に縁取られる前記基部の外部領域（７）が設けられる、請求項１又は２に記載の装置。
【請求項４】
前記突起（２）が、頭部に面している領域において、球状に丸められる、請求項１〜３のいずれか一項に記載の装置。
【請求項５】
全ての開口部（８）が同じ高さである、請求項１〜４のいずれか一項に記載の装置。
【請求項６】
全ての開口部（８）が違う高さである、請求項１〜４のいずれか一項に記載の装置。
【請求項７】
横の開口部（８）が、一部の前記突起（２）の上部、及び残りの前記突起（２）の底部に設けられる、請求項６に記載の装置。
【請求項８】
前記連結部（４）が、容器の首部にねじ止めされ得る内部ねじ山を有する、請求項１〜７のいずれか一項に記載の装置。
【発明の詳細な説明】
【技術分野】
【０００１】
本発明の目的は、美容院産業でヒトの頭髪に流動性を有する製品を適用するための装置に関する。
【背景技術】
【０００２】
この種の装置は、毛髪トリートメント剤を適用する美容院産業で使用される。かかるトリートメント剤は、流動性を有する製品として毛髪に均等に行き渡るべきである。
【０００３】
複数の突起を有する製品ディスペンサーを備える装置は、米国特許第６，０５３，１７７号により知られており、これは、突起を収容するための基部を有する装置である。基部は、基部の外部領域に縁取られた、突起の間を延伸する内部領域から成る。製品ディスペンサーは、連結部を介して容器に接続され得る。突起は、製品を分配する開口を有する。
【発明の開示】
【発明が解決しようとする課題】
【０００４】
既知の装置では、突起内の上部中央に開口が位置づけられている。これは、突起の間にある毛髪が、十分な量の製品で濡らされることがないという点で不利であり、これは装置が縮れ毛にぴったりとくっつけて注がれた場合に、毛髪が濡れることを阻止するように働き得る。
【発明を実施するための最良の形態】
【０００５】
請求項１に記載のような装置を更に開発することで、この欠点を克服することが目的である。
【０００６】
請求項１に記載の特徴的な構成要素により、この目的は達成される。従って、全ての開口部が、内部空間内に位置する突起の間を延伸するとともに、内部領域上に配置される内部空間に対して横方向に整列する。
【０００７】
提案装置では、櫛のように装置が毛髪に当てられた場合に、流動性を有する製品で毛髪が十分濡らされるという利点がある。突起が比較的に少なければ、例えば、６から１６の突起が設けられている場合には、装置は、かなりの縮れ毛に適している。全ての開口が内部空間に向いて相互に揃えられるために、２つの突起の間の毛髪は常に製品で濡らされる。開口は、例えば、基部の外部領域に向いて並ぶように、内部空間から離れて外部には並ばない。この種の並び方は、結果としては、製品の使用には効果的ではない。これは、ディスペンサーがストランドに沿って動くならば、１つのストランドだけが相対的に製品ディスペンサーの中央内で進むことから、かなりの縮れ毛には部分的に利点となる。
【０００８】
提案された発明の有利な実施形態は、請求項２から８に記載されている。
【０００９】
突起の２つの列（請求項２）は、かなりの縮れ毛に製品ディスペンサーを比較的簡単に注ぐのに適している。
【００１０】
請求項３に記載のように、基部の外部領域が縁部に縁取られて設けられるならば、この縁部が毛髪からの余分な製品を拭うことができる。
【００１１】
特に突起が相対的に大きな直径（中心で約２〜１０ｍｍ）を有するならば、頭部に面している領域において、球状に丸められる突起（請求項４）を、かなりの縮れ毛に当てるのは比較的簡単である。頭部に向って細くなる円錐形もまた利点である。
【００１２】
全ての開口が同じ高さであるであるならば（請求項５）、この高さでの毛髪のストランドは製品で均等に濡らされる。しかしながら、開口が様々な高さである場合（請求項６）、製品ディスペンサーをストランドに一回以上当てた後、様々な高さで、ストランドは更に均等に濡らされる。請求項７に記載の、横の開口部が、一部の突起の上部、及び残りの突起の底部に設けられるとき、非常に良い結果が得られる。
【００１３】
請求項８に記載の連結部が、容器の首部にねじ止めされ得る内部ねじ山を有するならば、装置が容器にねじ止めされた後、容器から製品を取り出すこと、その結果、毛髪に直接適用することが簡単になる。
【００１４】
ヒトの頭髪に流動性を有する製品を適用するための装置１で、製品ディスペンサー３が複数の突起２を有する（図１）。製品ディスペンサー３が、突起２を収容するための基部６を有する。基部６は、突起２の間を延伸する内部領域５から成り、それは基部６の外部領域７に縁取られる。製品ディスペンサー３が、内部ねじ山１１を有する連結部４を介して容器上にねじ止めされ得る。突起２は、製品を分配するための開口８を有する。全ての開口部８が、内部領域５上に配置される内部空間９に対して横方向に整列しており、内部空間９が、前記突起２を含む。開口８のどれも、縁部１０に縁取られて毛髪から余分な製品を拭い取るための、外部領域７に向かわない。
【００１５】
突起２の列が２つあり、突起２の各々が、頭部に面している領域において、球状に丸められる。開口８の各々が、他の全ての開口８と同じ高さである。８つの開口８が同じ方向を向くが、側壁上に配列された２つの突起２の２つの開口８が対向する方向を向く。このようにして、直毛剤を用いるなどして毛髪を真っ直ぐにするために製品ディスペンサー３が毛髪ストランドに注がれた場合には、突起２の各々を通じて、一定量の製品が毛髪ストランド上に付着する。外部領域７には製品は付着せず、それは、製品の最適な使用を意味する。
【００１６】
図２に示す代表的な実施形態のように、６つの中央突起２の各々は、２つの開口８を有し、２列に隣接する４つの突起２の各々が１つの開口８のみを有する。これは、製品ディスペンサー３を通って流れる毛髪ストランド各々が対向側において、製品で、濡らされることを確実にする。第一の代表的な実施形態で示すように、ストランドは、装置１の基部６に対して一定の高さで濡らされる。
【００１７】
これに反して、図３に示す代表的な実施形態では、横方向の開口８は、違う高さでストランドが濡れるように一部の突起２の上部、及び残りの突起２の底部に設けられる。４つの突起２が１つの開口８を有し、中央部で、６つ突起２が２つの開口８を有する。しかしながら、図１に示す代表的な実施形態で、開口８は、中央で６つの突起２の各々において除かれることが可能である。図３に示す代表的な実施形態では、突起２の各々が突起２上の同じ高さで２つの開口８を有する。
【００１８】
１    装置
２    突起
３    製品ディスペンサー
４    連結
５    内部領域
６    基部
７    外部領域
８    開口
９    内部空間
１０  縁部
１１  内部ねじ山
【００１９】
本発明は代表的な実施形態を示す図を参照し、以下により詳細に論じる。次のものが図示されている。
【図面の簡単な説明】
【００２０】
【図１】各突起が流動性を有する毛髪コンディショニング製品を分配するための開口を有し、内部空間から外部に向かって配列される開口は有さない、２列の突起を有する提案装置の実施形態の斜視図。
【図２】６つの突起の各々が中央に２つの開口を有するような、図１の装置の斜視図。
【図３】９０度縦に回転させたが、開口は、交互に上部と底部に配列された、図２に類似した装置の斜視図。
【図１】
2008541944.tif 000003
【図２】
2008541944.tif 000004
【図３】
2008541944.tif 000005
【国際調査報告】
2008541944.tif 000006
2008541944.tif 000007
2008541944.tif 000008